(57)【要約】【課題】居住者の不満を緩和しつつ、確実な電力抑制が実施できるようにする。【解決手段】状態予測部１０３は、まず、予測消費電力の区域目標値より超過した予測超過電力に相当する、区域で使用される電力負荷の制御値を算出する。また、状態予測部１０３は、算出した制御値で電力負荷を制御した場合の区域の状態を予測した予測状態を求める。この予測は、電力抑制時間帯より以前になされる。提示部１０４は、予測超過電力、状態予測部１０３が求めた区域の予測状態、および区域における電力負荷の制御値と対応する区域の状態との組からなる複数の節電対策を提示する。これらの提示は、電力抑制時間帯より以前になされる。【選択図】  図１
2015057001.tif 000002
【特許請求の範囲】
【請求項１】
電力が供給されている領域に設定された電力目標を基に、前記領域を区分する区域単位毎の目標電力である区域目標値を算出する区域目標算出手段と、
前記区域毎の現状の消費電力より設定されている電力抑制時間帯における消費電力を予測した予測消費電力を、前記電力抑制時間帯より以前に算出する消費電力予測手段と、
前記予測消費電力の前記区域目標値より超過した予測超過電力をもとに、前記区域目標値となる状態に前記区域の電力負荷を制御した場合の前記区域の状態を予測した予測状態を前記電力抑制時間帯より以前に求める状態予測手段と、
前記予測超過電力、前記状態予測手段が求めた前記区域の予測状態、および前記区域における前記電力負荷の制御値と対応する前記区域の状態との組からなる複数の節電対策を、前記電力抑制時間帯より以前に前記区域の居住者に提示する提示手段と、
前記電力抑制時間帯において、前記提示手段の提示の中より選択された節電対策の制御値に変更して前記区域における前記電力負荷を制御する制御手段と
を備えることを特徴とする電力抑制制御装置。
【請求項２】
請求項１記載の電力抑制制御装置において、
前記制御手段は、前記電力抑制時間帯の後で、前記電力抑制時間帯以前の制御値に戻して前記区域における前記電力負荷を制御することを特徴とする電力抑制制御装置。
【請求項３】
電力が供給されている領域に設定された電力目標を基に、前記領域を区分する区域単位毎の目標電力である区域目標値を算出する区域目標算出ステップと、
前記区域毎の現状の消費電力より設定されている電力抑制時間帯における消費電力を予測した予測消費電力を、前記電力抑制時間帯より以前に算出する消費電力予測ステップと、
前記予測消費電力の前記区域目標値より超過した予測超過電力をもとに、前記区域目標値となる状態に前記区域の電力負荷を制御した場合の前記区域の状態を予測した予測状態を前記電力抑制時間帯より以前に求める状態予測ステップと、
前記予測超過電力、前記状態予測ステップで求めた前記区域の予測状態、および前記区域における前記電力負荷の制御値と対応する前記区域の状態との組からなる複数の節電対策を、前記電力抑制時間帯より以前に前記区域の居住者に提示する提示ステップと、
前記電力抑制時間帯において、前記提示ステップにおける提示の中より選択された節電対策の制御値に変更して前記区域における前記電力負荷を制御する制御ステップと
を備えることを特徴とする電力抑制制御方法。
【請求項４】
請求項３記載の電力抑制制御方法において、
前記電力抑制時間帯の後で、前記電力抑制時間帯以前の制御値に戻して前記区域における前記電力負荷を制御する新たな制御ステップを備えることを特徴とする電力抑制制御方法。
【発明の詳細な説明】
【技術分野】
【０００１】
本発明は、電力使用量の抑制などを行うための電力抑制制御装置および方法に関する。
【背景技術】
【０００２】
２０１１年３月の東日本大震災以降、電力の不足が叫ばれており、使用電力のピークカットを中心とした電力需要抑制の重要性が、これまで以上に高まってきている。従来の電力需要の抑制は、電力デマンド制御のような、予め設定された情報に基づいた自動制御により、機器を停止するものが主であった。また、目標電力と予想電力との差分から、節電施策を居住者（需要者）に開示することで、居住者の節電行動を促し、電力需要の抑制を達成しようとする省エネアドバイス装置がある（特許文献１参照）。
【先行技術文献】
【特許文献】
【０００３】
【特許文献１】特許第４９５１０８２号公報
【発明の概要】
【発明が解決しようとする課題】
【０００４】
しかしながら、上述した従来の制御では、次に示すような問題があった。まず、電力デマンド制御のような自動制御では、電力抑制が強制的に行われる。このため、節電施策に対する居住者の意志が反映されず、居住者の不満が溜まりやすくなり、居住者からの苦情が増加するという問題があった。また、省エネアドバイス装置では、電力抑制が居住者任せになってしまう。このため、確実な電力抑制が見込めないという問題があった。
【０００５】
本発明は、以上のような問題点を解消するためになされたものであり、居住者の不満を緩和しつつ、確実な電力抑制が実施できるようにすることを目的とする。
【課題を解決するための手段】
【０００６】
本発明に係る電力抑制制御装置は、電力が供給されている領域に設定された電力目標を基に、領域を区分する区域単位毎の目標電力である区域目標値を算出する区域目標算出手段と、区域毎の現状の消費電力より設定されている電力抑制時間帯における消費電力を予測した予測消費電力を、電力抑制時間帯より以前に算出する消費電力予測手段と、予測消費電力の区域目標値より超過した予測超過電力を基に、区域目標値となる状態に区域の電力負荷を制御した場合の区域の状態を予測した予測状態を電力抑制時間帯より以前に求める状態予測手段と、予測超過電力、状態予測手段が求めた区域の予測状態、および区域における電力負荷の制御値と対応する区域の状態との組からなる複数の節電対策を、電力抑制時間帯より以前に区域の居住者に提示する提示手段と、電力抑制時間帯において、提示手段の提示の中より選択された節電対策の制御値に変更して区域における電力負荷を制御する制御手段とを備える。
【０００７】
上記電力抑制制御装置において、制御手段は、電力抑制時間帯の後で、電力抑制時間帯以前の制御値に戻して区域における電力負荷を制御するようにしてもよい。
【０００８】
本発明に係る電力抑制制御方法は、電力が供給されている領域に設定された電力目標を基に、領域を区分する区域単位毎の目標電力である区域目標値を算出する区域目標算出ステップと、区域毎の現状の消費電力より設定されている電力抑制時間帯における消費電力を予測した予測消費電力を、電力抑制時間帯より以前に算出する消費電力予測ステップと、予測消費電力の区域目標値より超過した予測超過電力を基に、区域目標値となる状態に区域の電力負荷を制御した場合の区域の状態を予測した予測状態を電力抑制時間帯より以前に求める状態予測ステップと、予測超過電力、状態予測ステップで求めた区域の予測状態、および区域における電力負荷の制御値と対応する区域の状態との組からなる複数の節電対策を、電力抑制時間帯より以前に区域の居住者に提示する提示ステップと、電力抑制時間帯において、提示ステップにおける提示の中より選択された節電対策の制御値に変更して区域における電力負荷を制御する制御ステップとを備える。
【０００９】
上記電力抑制制御方法において、電力抑制時間帯の後で、電力抑制時間帯以前の制御値に戻して区域における電力負荷を制御する新たな制御ステップを備えるようにしてもよい。
【発明の効果】
【００１０】
以上説明したことにより、本発明によれば、居住者の不満を緩和しつつ、確実な電力抑制が実施できるようにできるという優れた効果が得られる。
【図面の簡単な説明】
【００１１】
【図１】図１は、本発明の実施の形態における電力抑制制御装置の構成を示す構成図である。
【図２】図２は、本発明の実施の形態における電力抑制制御方法を説明するフローチャートである。
【図３】図３は、提示部１０４の提示状態を示す説明図である。
【発明を実施するための形態】
【００１２】
以下、本発明の実施の形態について図を参照して説明する。図１は、本発明の実施の形態における電力抑制制御装置の構成を示す構成図である。この電力抑制制御装置は、区域目標算出部１０１，消費電力予測部１０２，状態予測部１０３，提示部１０４，および制御部１０５を備える。
【００１３】
区域目標算出部１０１は、電力が供給されている領域に設定された電力目標を基に、領域を区分する区域単位毎の目標電力である区域目標値を算出する。消費電力予測部１０２は、区域毎の現状の消費電力より設定されている電力抑制時間帯における消費電力を予測した予測消費電力を、電力抑制時間帯より以前に算出する。
【００１４】
状態予測部１０３は、まず、予測消費電力の区域目標値より超過した予測超過電力に相当する、区域で使用される電力負荷の制御値を算出する。また、状態予測部１０３は、算出した制御値で電力負荷を制御した場合の区域の状態を予測した予測状態を求める。この予測は、電力抑制時間帯より以前になされる。電力負荷は、例えば、各区域で用いられている空調機器や照明機器である。
【００１５】
提示部１０４は、予測超過電力、状態予測部１０３が求めた区域の予測状態、および区域における電力負荷の制御値と対応する区域の状態との組からなる複数の節電対策を提示する。これらの提示は、電力抑制時間帯より以前になされる。また、制御部１０５は、電力抑制時間帯において、提示部１０４の提示の中より選択された節電対策の制御値に変更して区域における電力負荷を制御する。また、制御部１０５は、電力抑制時間帯の後では、電力抑制時間帯以前の制御値に戻して区域における電力負荷を制御する。
【００１６】
以下、本発明の実施の形態における電力抑制制御装置の動作（電力抑制制御方法）について、図２のフローチャートを用いて説明する。
【００１７】
まず、ステップＳ２０１で、区域目標算出部１０１が、電力が供給されている領域に設定された電力目標を基に、領域を区分する区域単位毎の目標電力である区域目標値を算出する（区域目標算出ステップ）。例えば、床面積による按分方法、室内負荷演算結果に基づく按分方法などにより、区域単位で目標電力（消費電力）を算出すればよい。
【００１８】
次に、ステップＳ２０２で、消費電力予測部１０２が、区域毎の現状の消費電力より設定されている電力抑制時間帯における消費電力を予測した予測消費電力を、電力抑制時間帯より以前に算出する。例えば、電力抑制時間帯が、午後１２時から午後３時までとする。この場合、まず、直近１０日間で、１日あたりの消費電力量が多い上位３日間の各時刻の平均電力を求める。次に、求めた値を、予測を行う日および上位３日間における午前中（午前９〜１１時）の消費電力で調整して演算すればよい。具体的には、「各時刻の電力予測＝上位３日間の各時刻の平均電力×予測を行う日の午前９〜１１時の電力÷上位３日間の午前９〜１１時の電力」により計算すればよい。
【００１９】
次に、ステップＳ２０３で、状態予測部１０３が、予測消費電力の区域目標値より超過した予測超過電力に相当する、対象となる区域で使用される電力負荷の制御値を算出する。まず、上述したように求めた予測消費電力より、区域毎に設定されている区域目標値を減ずることで、予測超過電力を求める。次いで、求めた予測超過電力を満たすと予想できる電力負荷の制御値を算出する。この算出においては、予め設定されている消費電力と制御値との関係を用いる。
【００２０】
例えば、電力負荷が、空調機器および照明機器の場合を考える。空調機器においては、次の表１に示すように、環境温度（２５℃）に対する設定温度（制御値）と消費電力との関係が用意されている。
【００２１】
【表１】
2015057001.tif 000003
【００２２】
また、照明機器においては、現状の設定照度（７００ｌｕｘ）に対する設定照度（制御値）と消費電力との関係が用意されている。
【００２３】
【表２】
2015057001.tif 000004
【００２４】
上述した関係が用意されている中で、予測超過電力が３ｋＷである場合、空調の制御においては、設定温度を２５℃から２８℃に変更することで、消費電力が１０ｋＷから７ｋＷに減り、予測超過電力に相当するものとなる。この結果、状態予測部１０３は、設定温度２８℃で空調を制御することになるので、区域の状態を気温が２８℃になるものと予測する。
【００２５】
次に、ステップＳ２０４で、提示部１０４が、予測超過電力、上述したことにより求めた区域の予測状態、および区域における電力負荷の制御値と対応する区域の状態との組からなる複数の節電対策を、区域の居住者に提示する。例えば、図３に示すように、提示部１０４に提示する。例えば、「エリア情報」に、対象の区域における予測超過電力を表示する。また、対象の区域（室内）における現状の状態（空調設定温度、照明設定照度）を示す。また、対象の区域における予測状態（空調設定温度、照明設定照度）を示す。
【００２６】
また、「節電対策リスト＆節電アドバイス」に、対象の区域における電力負荷の制御値と対応する区域の状態との組からなる複数の節電対策を提示する。例えば、図３の（ａ）では、「対策なし」，「対策１」，「対策２」，「対策３」の節電対策を提示している。
【００２７】
この中で、空調制御，照明制御，電源制御などにおいて、アイコン３０１，アイコン３０２，アイコン３０３により、制御値による制御結果の状態を示す。アイコン３０１は、設定温度が２５℃であるなど、快適な状態が得られることを示している。アイコン３０２は、設定温度が２６〜２７℃であるなど、通常の状態が得られることを示している。アイコン３０３は、設定温度が２８℃であるなど、ある程度我慢が必要な状態であることを示している。また、各対策を選択した場合のアドバイスを、吹き出し３０４に提示する。
【００２８】
例えば、図３の（ａ）に示すように、「対策なし」は、現在の予測超過電力の状態では、電力抑制時間帯における制御状態が、空調に関してはある程度我慢が必要な温度設定になることが提示される。また、図３の（ｂ）に示すように、「対策１」を選択することで、電力抑制時間帯における制御状態が、照明環境はある程度暗くなるが、空調に関しては快適な状態が得られることが提示される。
【００２９】
また、図３の（ｃ）に示すように、予測超過電力が負の場合、対策をする必要がないため、現在の制御が電力抑制時間帯にも適用されることを示す。加えて、現在の制御では、照明制御があまり明るくない状態であるため、この制御が変更できることをアドバイスとして表示する。なお、図３の（ｄ）は、予測超過電力が０の場合である。
【００３０】
上述したように提示部１０４に提示した後、節電対策をする電力抑制時間帯になると（ステップ２０５のｙ）、ステップＳ２０６で、制御部１０５が、提示部１０４の提示の中より選択された節電対策の制御値に変更して区域における電力負荷を制御する（制御ステップ）。また、この制御を、電力抑制時間帯が終了するまで継続し、電力抑制時間帯が過ぎたら（ステップＳ２０７のｎ）、ステップＳ２０８で、制御部１０５が、電力抑制時間帯以前の制御値に戻して区域における電力負荷を制御する。電力抑制時間帯終了時に、電力抑制時間帯では、電力抑制が緩和されていた電力負荷を、節電制御の対象に変更する。例えば、提示されたアドバイスに従って、設定温度に代わって設定照度が変更された場合、電力抑制時間帯終了時に、節電制御の対象を設定照度に変更する。
【００３１】
以上に説明したように、本発明によれば、予測超過電力、区域の予測状態、および区域における電力負荷の制御値と対応する区域の状態との組からなる複数の節電対策を、提示するようにしたので、居住者の不満を緩和しつつ、確実な電力抑制が実施できるようになる。
【００３２】
なお、本発明は以上に説明した実施の形態に限定されるものではなく、本発明の技術的思想内で、当分野において通常の知識を有する者により、多くの変形および組み合わせが実施可能であることは明白である。例えば、電力抑制制御の設定を自動的に更新するようにしてもよい。例えば、電力抑制時間帯終了時の設定を反映させるようにしてもよく、また、過去数日間の頻度分布に基づいた設定を反映させるようにしてもよい。
【符号の説明】
【００３３】
１０１…区域目標算出部、１０２…消費電力予測部、１０３…状態予測部、１０４…提示部、１０５…制御部。
【図１】
2015057001.tif 000005
【図２】
2015057001.tif 000006
【図３】
2015057001.tif 000007